(57)【要約】      （修正有）【課題】節電ができ運搬と設置がし易く労力を浪費しない半導体冷暖房電気器具の提供。【解決手段】冷却用クーリングチップを応用し、冷循環器原理に合わせて製作された冷暖用電気器具であり半導体の冷却用クーリングチップ、冷循環器、冷却循環設備、温度コントローラーを包含し、半導体冷却用クーリングチップの作用を応用して冷気を発生させ、冷気は伝冷プレートを通し冷循環器から冷却フィンへ送られ、そこで貯蔵される。温度コントローラーの使用面に設置した調節キーにより、手動またはリモコンを用いて必要な温度に設定し、それからファンにより冷却フィンに貯蔵されている冷却エネルギーを送出し、クールチップが生み出した熱を冷却して排気する。【選択図】図３
0003118240.tif 000002
【実用新案登録請求の範囲】
【請求項１】
半導体冷暖用電気器具において、その冷暖用電気器具内に設置されている基本部材は、クーリングチップ（Ｔｈｅｒｍｏｅｌｅｃｔｒｉｃ  Ｃｏｏｌｉｎｇ  Ｃｈｉｐ）、冷循環器、冷却循環設備及び温度コントローラーを包含し、冷循環器と冷却循環設備がそれぞれクーリングチップの冷気発生面と熱発生面に固設され、該冷循環器、冷却循環設備はそれぞれ冷、伝熱プレートに取付けられた冷水管、ヒートパイプ、冷却フィン及びファンにより構成され、クーリングチップの作用により冷気を発生させ、冷気は伝冷プレートを通し冷循環器から冷却フィンへ送られて貯蔵され、温度コントローラーの使用面に設置した調節キー、定温キー及び温度上下調節キーで、手動またはリモコン方式を用いて、必要な定温又は温度の上下を設定し、それからファンにより冷却フィンに貯蔵されている冷却エネルギーを送出し、クーリングチップで発生した熱は、冷却循環設備により冷却され排熱されることを特徴とする、半導体冷暖用電気器具。
【請求項２】
請求項１記載の半導体冷暖用電気器具において、そのうちの一つ又はそれ以上のクーリングチップに冷循環器一つと冷却循環設備一つを組み合わせて基本部材の一組とし、必要な冷却エネルギー量の大小に応じて、一組又は複数組の基本部材を用いて組み立て、一体化されたことを特徴とする、半導体冷暖用電気器具。
【考案の詳細な説明】
【技術分野】
【０００１】
本考案は半導体冷暖用電気器具で、特にのハイテクの半導体を運用し、即ち冷却クーリングチップ（Ｔｈｅｒｍｏｅｌｅｃｔｒｉｃ  Ｃｏｏｌｉｎｇ  Ｃｈｉｐ）を応用し、冷循環器原理を融合して製作された冷暖房器である。従来型のコンプレッサーに依存することなく冷却度の設定が可能で、適切な室温を保つという使用上の必要性、及び環境保護とエネルギー節約等の需要を満たし、設置面でも場所をとらず取り付けがし易い等の長所がある。
【背景技術】
【０００２】
従来の冷暖房機器及び電気冷蔵庫等の冷暖用電気器具は、全て冷媒とコンデンサーにより冷房の機能をなすものであるが、コンデンサーの体積がかさばり、運搬や設置にも非常に労力を伴うものであり、かつ騒音も発生し、消費電量も高く、良質な生活環境にも悪影響を与えている。また、さらに水漏れや騒音等の問題をも考慮しなければならないため、既存の冷暖房機器の設置場所はさらに制約を受けるものとなる。そのため節電ができ運搬と設置がし易く労力を浪費しない冷暖用電気器具製品をいかに製造するかということが、本考案を研究開発する主な目的である。
【考案の開示】
【考案が解決しようとする課題】
【０００３】
本考案の主要目的は冷暖用電気器具により快適な温度と環境を十分に作り出し、節電を行い現代人に見合った生活と環境保護への追求を実現するため、一種の半導体冷暖用電気器具を提供するものである。この製品は主に半導体、即クーリングチップ（Ｔｈｅｒｍｏｅｌｅｃｔｒｉｃ  Ｃｏｏｌｉｎｇ  Ｃｈｉｐ）の冷却効果を応用したものである。そのチップの両面にそれぞれ冷却循環設備と冷循環器を接合し、該冷却循環設備と冷循環器にはそれぞれ冷、伝熱プレートにより冷水管、ヒートパイプ、冷却フィン及びファンが取付けられ、また該冷却循環設備に対してファン等が設置され構成されたものである。この製品では冷気がクーリングチップの作用により発生し、冷循環器を通して冷却フィンに送られそこで貯蔵される。そして温度コントローラーの使用面に設置した定温及び温度上下調節キーにより必要な温度に調節設定し、冷気はその後ファンにより送り出される。またクーリングチップが生み出した熱は冷却循環設備により冷却される。この製品により冷暖用電気器具の冷却度が短時間で必要な使用レベルに達し、既存のコンデンサーを使用する必要がないため、冷暖用電気器具の全体的構造が簡略化できるのである。そしてその場合は製品が軽く、薄くなるため取付けもしやすくなり、使用にも便利で節電にもなり、また更には騒音や環境汚染の原因にもならない。そのためこの製品は構造上も今までにないものであり、産業面の利用価値を有する。
【課題を解決するための手段】
【０００４】
請求項１の考案は、半導体冷暖用電気器具において、その冷暖用電気器具内に設置されている基本部材は、クーリングチップ（Ｔｈｅｒｍｏｅｌｅｃｔｒｉｃ  Ｃｏｏｌｉｎｇ  Ｃｈｉｐ）、冷循環器、冷却循環設備及び温度コントローラーを包含し、冷循環器と冷却循環設備がそれぞれクーリングチップの冷気発生面と熱発生面に固設され、該冷循環器、冷却循環設備はそれぞれ冷、伝熱プレートに取付けられた冷水管、ヒートパイプ、冷却フィン及びファンにより構成され、クーリングチップの作用により冷気を発生させ、冷気は伝冷プレートを通し冷循環器から冷却フィンへ送られて貯蔵され、温度コントローラーの使用面に設置した調節キー、定温キー及び温度上下調節キーで、手動またはリモコン方式を用いて、必要な定温又は温度の上下を設定し、それからファンにより冷却フィンに貯蔵されている冷却エネルギーを送出し、クーリングチップで発生した熱は、冷却循環設備により冷却され排熱されることを特徴とする、半導体冷暖用電気器具としている。
請求項２の考案は、請求項１記載の半導体冷暖用電気器具において、そのうちの一つ又はそれ以上のクーリングチップに冷循環器一つと冷却循環設備一つを組み合わせて基本部材の一組とし、必要な冷却エネルギー量の大小に応じて、一組又は複数組の基本部材を用いて組み立て、一体化されたことを特徴とする、半導体冷暖用電気器具としている。
【考案の効果】
【０００５】
上述のように、本考案である半導体冷暖用電気器具は、半導体チップのハイテク製品と日常生活で用いられる電気製品を応用し組み合わせた一種の製品である。この製品はクーリングチップの作用により冷気を発生させ、さらに冷気が冷循環器を経由し途中障害物に影響されず直接送り出され伝導する工程、及び冷却フィンの冷却原理等が冷暖用電気器具で組み合わされている。そのため、該電気製品はコンデンサーと冷媒を使う必要がなく、必要な冷却度が得られるのである。この製品を用いれば地球のオゾン層に被害を与え公害を発生させたり、騒音を引き起こして環境の静けさを妨げることは起こりえない。またその他にも電気製品の体積を軽く、薄くし運搬、取付けもし易くするため、使用電量の６０〜８０％が節約可能となる。
【考案を実施するための最良の形態】
【０００６】
本考案製品の構造応用及びその効果の特徴は、特許図面に示す通り。また更に詳細な説明は以下の通り：
【０００７】
図１、２、３に示されるように、本考案である半導体冷暖用電気器具の主な部材には以下のものを含む：電源スイッチ１、クーリングチップ（Ｔｈｅｒｍｏｅｌｅｃｔｒｉｃ Ｃｏｏｌｉｎｇ  Ｃｈｉｐ）  ２、冷循環器３、冷却循環設備４、温度コントローラー５。その冷循環器３と冷却循環設備４はそれぞれクーリングチップ２の冷発生面と熱発生面に固設されている。該冷循環器３、該冷却循環設備４はそれぞれ冷、伝熱プレート３１、４１により冷水管３２、ヒートパイプ４２及び冷却フィン３３、４３が取り付けられ、そして冷却循環設備４に対してはファン４４等が設置され構成されている。これはクーリングチップ２の作用により冷気を発生させ、その後冷気は伝冷プレート３１を通り冷循環器３を経由、途中障害物に影響されず直接送り出され、冷却フィン３３に達してそこで貯蔵されるのである。そしてクーリングチップ２で発生した熱は、冷却循環設備４により冷却され排熱４５されるのである。冷却サイクルのに貯蔵されている冷却フィン３３の冷気は、温度コントローラー５の使用インタフェースに設置した定温調節キー５１及び温度上下調節キー５２により必要な温度に調節設定され、その後ファン４４により送り出される。この種の製品は半導体クーリングチップ２を応用し、冷循環器の作用原理と冷却フィンの冷気貯蔵原理、さらに冷却循環設備の作用が付加されている。そのため冷暖用電気器具が短時間内で必要な冷暖房温度に調節できるようになるのである。
【０００８】
前述の伝冷、伝熱プレート３１、４１は実施例上は冷、熱伝導作用では最良の銅材又はアルミ材により製造された中空状であり、内部には循環装置により循環する液体が入っている。
【０００９】
本考案により製造される半導体冷暖用電気器具の実施例は、コンデンサーに依存せず、半導体クーリングチップと冷循環器及び排熱循環設備を利用するだけで、必要な冷暖房の使用効果が得られるものである。そのクーリングチップがもたらす冷却温度は- ５℃程度に達し、冷却液循環系を通った後でも、５℃から１０℃程度の温度を保つことができるため、必要な冷気が作り出せ使用の上でも便利である。実施例の上で、この製品の冷循環器用の液体として既存の冷媒を使わないのであれば、地球のオゾン層に被害を与えず、環境面で公害を生み出さない。またそれ以外に節電効果でも、この製品を従来の一般冷暖房機又はその他の電気製品と比較すると、使用電量の約６０〜８０％が節約でき、エネルギー危機の解決にも大きな力となるのである。そして製造面では、体積でかさばるコンデンサーと関連冷媒の配線、部品配置等が不必要となる。そのため製品が軽く、薄くなり運搬、取付けもし易くなるため、使用でも非常に便利になるのである。
【００１０】
前述の温度コントローラー５の定温及び温度上下調節機能は、使用の上で必要な温度を自動的に設定できるものである。本考案製品は一種の半導体を応用して製造した冷暖用電気器具であるため、定温キーを操作して必要な温度に設定するだけで、安定した室温を自由に供給でき、効果的な冷暖房がなしえるのである。
【００１１】
上述のように、本考案である半導体冷暖用電気器具は、半導体チップのハイテク製品と日常生活で用いられる電気製品を応用し組み合わせた一種の製品である。この製品はクーリングチップの作用により冷気を発生させ、さらに冷気が冷循環器を経由し途中障害物に影響されず直接送り出され伝導する工程、及び冷却フィンの冷却原理等が冷暖用電気器具で組み合わされている。そのため、該電気製品はコンデンサーと冷媒を使う必要がなく、必要な冷却度が得られるのである。この製品を用いれば地球のオゾン層に被害を与え公害を発生させたり、騒音を引き起こして環境の静けさを妨げることは起こりえない。またその他にも電気製品の体積を軽く、薄くし運搬、取付けもし易くするため、使用電量の６０〜８０％が節約可能となる。
【図面の簡単な説明】
【００１２】
【図１】本考案のブロック図である。
【図２】本考案の構造見取り図である。
【図３】本考案の立体見取り図である。
【符号の説明】
【００１３】
１  電源スイッチ
２  クーリングチップ
３  冷循環器
４  冷却循環設備
５  温度コントローラー
３１  伝冷プレート
３２  冷水管
３３  冷却フィン
３４  定温調節キー
３５  循環液
４１  伝熱プレート
４２  ヒートパイプ
４３  冷却フィン
４４  ファン
４５  排熱
５１  定温キー
５２  温度上下調節キー
【図１】
0003118240.tif 000003
【図２】
0003118240.tif 000004
【図３】
0003118240.tif 000005